(57)【要約】【課題】  狭隘な場所においても、特別な駆動装置を要することなくリーマ穴を加工できるリーマ工具を提供すること。【解決手段】  被削材７０の加工穴７１に挿通して一端が加工穴７１から突出する長さを有する軸部１１と、軸部１１の他端に一体的に形成されたリーマ部１２とを有するリーマ部材１０と、軸部１１の加工穴７１から突出する部分を加工穴７１の一端側で支持する送り部材２０とを備えている。軸部１１は、加工穴７１から突出する部分に回転伝達部１４を有し、送り部材２０は、軸部１１との間に、軸部１１が回転することで軸部１１を送り部材２０に対して加工方向に送る送り機構３０を有し、リーマ部１２は、軸部１１との連結部に切刃１３を有している。【選択図】  図１
2014200855.tif 000002
【特許請求の範囲】
【請求項１】
被削材の加工穴に挿通して端部が加工穴の反対側から突出する長さを有する軸部と、該軸部の他端に一体形成されたリーマ部と、を有するリーマ部材と、
前記軸部の加工穴から突出する部分を加工穴の一端側で支持する送り部材と、を備え、
前記軸部は、前記加工穴から突出する部分に回転伝達部を有し、
前記送り部材は、前記軸部との間に、軸部が回転することで該軸部を送り部材に対して加工方向に送る送り機構を有し、
前記リーマ部は、前記軸部との連結部分に切刃を有していることを特徴とするリーマ工具。
【請求項２】
前記送り機構は、前記軸部と前記送り部材との間に形成されたねじ機構で構成されている請求項１に記載のリーマ工具。
【請求項３】
前記送り部材は、前記加工穴の前部で被削材に接する座金部と、前記座金部の前部に位置するナット部とを有し、
前記座金部は、前記リーマ部を加工穴から突出させることができる空間部を有している請求項２に記載のリーマ工具。
【請求項４】
前記リーマ部は、切刃の前端部から後端部に向けてバックテーパを有している請求項１〜３のいずれか１項に記載のリーマ工具。
【請求項５】
前記リーマ部は、前記加工穴に沿うガイド部と、前記ガイド部の後方で加工穴にリーマ加工を行う切刃部とを有している請求項１〜４のいずれか１項に記載のリーマ工具。
【請求項６】
前記ねじ機構は、軸部を右回転させることで加工方向に送られる左ねじで構成され、
前記切刃は、右ねじれの切刃で構成されている請求項２又は３に記載のリーマ工具。
【発明の詳細な説明】
【技術分野】
【０００１】
本願発明は、金属品にリーマ穴を加工するためのリーマ工具に関する。
【背景技術】
【０００２】
従来、金属品の穴加工においてリーマが広く利用されている。リーマによる穴加工は、ドリル加工によって形成された穴を正確な直径の穴に仕上げたり、仕上げ面粗さの良い穴に仕上げたりする場合等に利用されている。
【０００３】
このようなリーマ加工を行う金属品（以下、「被削材」ともいう）として、各種機器の部品やフランジなどがある。例えば、リーマ加工を行う被削材の例として、大型タービンロータに関する部品であるタービン翼があり、以下、このタービン翼を例に説明する。
【０００４】
タービンロータの製作時には、回転軸のディスク外周に複数のタービン翼が配設されている。このタービン翼は、ディスクの外周に設けられた係合部にタービン翼の植翼部を係合させることで配設されている。そのため、ディスクの外周の一部にはタービン翼の植翼部分を挿入する挿入部が設けられており、この挿入口から  タービン翼の植翼部分を挿入し、係合部に係合させてディスクの周方向に配設している。そして、最後は挿入口に止め翼を入れ、その抜け止めをしている。
【０００５】
この止め翼の抜け止めは、一般的に、周方向に配置した止め翼と隣接するタービン翼との植翼部の間に抜け止め用のピースを入れ、このピースをカシメることでコーキングを施すことにより図っている。しかし、コーキング施工は手作業であり、作業者の技能によって施工差が生じ、施工後の確認も目視になり、時間を要する。また、コーキングはタービン翼の間に施工するため、タービン翼の外周にシュラウドが設けられた一体翼の場合にはシュラウドの内方へのコーキングができない。そのため、シュラウド一体型のタービン翼の止め翼に対しては、コーキングによる抜け止めは適用できない。
【０００６】
そこで、図８，９に示すように、止め翼１０６の抜け止めを、止め翼１０６とそれに隣接するタービン翼１０４の植翼部１０７，１０５との境界部共リーマ穴１０８（止め翼１０６及びタービン翼１０４共に半円形のリーマ穴）を加工する。そして、その共リーマ穴１０８に止めピン１０９を嵌入することで、止め翼１０６に作用する半径方向外方への力を隣接するタービン翼１０４で支持しようとする考えがある。
【０００７】
この方法の場合、タービンロータ１００のディスク１０１の外周の一部に設けられた挿入部１０２からタービン翼１０４を挿入し、係合部１０３に係合させるように周方向に移動させ、最終的に挿入部１０２に止め翼１０６を挿入する。そして、この止め翼１０６の植翼部１０７と隣接するタービン翼１０４の植翼部１０５との境界部に、ロータ軸方向に共リーマ穴１０８を加工する。図示する例では、さらに隣接するタービン翼１０４との間にも共リーマ穴１０８を加工し、それらの共リーマ穴１０８に止めピン１０９を嵌入し、複数のタービン翼１０４によって止め翼１０６に作用する半径方向外方の力を支持するようにしている。
【０００８】
この種のリーマ加工に用いるリーマの先行技術として、例えば、特に段付きのリーマにおいて、仕上刃部のリーマ回転方向の後方側におけるリーマ本体外周を、回転径よりも径方向内側に後退して形成するようにしたリーマがある（例えば、特許文献１参照）。
【０００９】
また、他の先行技術として、２段以上の切刃部を有する段付き構成で、１つの切刃部においては、切屑排出溝のうち１つの溝の先端外周側に切刃チップが１つ設けられ、その切刃チップは、他の切刃部に設けられる切刃チップと異なる切屑排出溝に設けられるようにしたリーマもある（例えば、特許文献２参照）。
【００１０】
さらに、工具を使って孔部の裏側のバリを除去する方法として、工具の自転と孔部の内周面に沿った遊星運動とで加工するものがある（例えば、特許文献３参照）。
【先行技術文献】
【特許文献】
【００１１】
【特許文献１】特開２００４−１９５５７２号公報
【特許文献２】特開平１０−９４９１７号公報
【特許文献３】特開平５−１１１８１５号公報
【発明の概要】
【発明が解決しようとする課題】
【００１２】
しかしながら、上記したように止め翼１０６の植翼部１０７と隣接するタービン翼１０４の植翼部１０５との境界部に、ロータ軸方向に共リーマ穴１０８を加工しようとしても、タービンロータ１００の場合には各段のデイスク１０１の間の空間が狭く、上記特許文献１，２に記載されたようなリーマを回転させて軸方向に送る送り機構を備えた駆動装置を設置することができず、リーマ加工を行うことができない。
【００１３】
また、上記特許文献３に記載の加工方法の場合には、工具及び加工方法が異なり、上記した止め翼の植翼部にリーマ加工を行えるものではない。
【００１４】
さらに、上記タービンロータの止め翼以外でも、複数の金属品を高精度で連結したい部分に径の小さいリーマボルトによる連結構造を採用したい場合が多くあるが、各金属品を重ねるとリーマ穴を加工したい部位近傍が狭隘となって駆動装置を設置できない場合が多く、リーマボルト以外の連結構造を考えなければならない場合がある。
【００１５】
そのため、被削材のリーマ加工部位近傍に駆動装置を設置するスペースがない狭隘な場合でも、リーマ穴を加工できるリーマ工具が切望されている。
【００１６】
そこで、本願発明は、狭隘な場所においても、特別な駆動装置を要することなくリーマ穴を加工できるリーマ工具を提供することを目的とする。
【課題を解決するための手段】
【００１７】
上記目的を達成するために、本願発明は、被削材の加工穴に挿通して端部が加工穴の反対側から突出する長さを有する軸部と、該軸部の他端に一体形成されたリーマ部と、を有するリーマ部材と、前記軸部の加工穴から突出する部分を加工穴の一端側で支持する送り部材と、を備え、前記軸部は、前記加工穴から突出する部分に回転伝達部を有し、前記送り部材は、前記軸部との間に、軸部が回転することで該軸部を送り部材に対して加工方向に送る送り機構を有し、前記リーマ部は、前記軸部との連結部分に切刃を有している。この明細書及び特許請求の範囲の書類中における「加工方向」は、軸部を挿入する方向と同じ方向をいう。
【００１８】
この構成により、リーマ部材の軸部を加工穴に挿通し、リーマ部の切刃を加工穴の一方に当接させた状態で加工穴の他方から突出する軸部を送り部材によって支持する。この状態で軸部の回転伝達部を回転させれば、その軸部が送り部材によって加工方向に送られ、軸部と一体的に回転するリーマ部で加工穴の内面にリーマ加工を行うことができる。従って、狭隘な場所においても、リーマ部材の軸部を被削材の加工穴に挿通して回転させる空間があればリーマ穴を加工することが可能となる。その上、リーマ部の回転と送りが同期するため、面粗度を一定にしたリーマ加工ができる。
【００１９】
また、前記送り機構は、前記軸部と前記送り部材との間に形成されたねじ機構で構成されていてもよい。
【００２０】
このように構成すれば、軸部を回転させることに同期してリーマ部を加工方向に送ることができる送り機構を、簡単なねじ機構で構成することができる。
【００２１】
また、前記送り部材は、前記加工穴の前部で被削材に接する座金部と、前記座金部の前部に位置するナット部とを有し、前記座金部は、前記リーマ部を加工穴から突出させることができる空間部を有していてもよい。この明細書及び特許請求の範囲の書類中では、リーマ加工方向前方を「前側」といい、加工方向後方を「後側」という。
【００２２】
このように構成すれば、座金部の空間部を後側に向ければリーマ部が加工穴から突出するまで加工して「貫通穴」のリーマ穴を形成することができる。座金部とナット部を別体で構成し、座金部の空間部を前側に向ければリーマ部が座金部に接する位置で加工を止めて「止まり穴」のリーマ穴を加工することができる。このように、座金部の構成によって「貫通穴」又は「止まり穴」のリーマ穴を容易に形成することがきる。
【００２３】
また、前記リーマ部は、切刃の前端部から後端部に向けてバックテーパを有していてもよい。
【００２４】
このように構成すれば、加工後の加工穴に生じるスプリングバック（弾性変形）により、加工中のリーマ部が締め付けられないようにできる。
【００２５】
また、前記リーマ部は、前記加工穴に沿うガイド部と、前記ガイド部の後方で加工穴にリーマ加工を行う切刃部とを有していてもよい。
【００２６】
このように構成すれば、軸部を加工穴に挿通してガイド部を加工穴に沿わせ、その状態から軸部を回転させればガイド部が加工穴に沿って進むので、リーマ部の軸心位置を加工穴の軸心位置に機械的に保ってリーマ加工を行うことができる。
【００２７】
また、前記ねじ機構は、軸部を右回転させることで加工方向に送られる左ねじで構成され、前記切刃は、右ねじれの切刃で構成されていてもよい。
【００２８】
このように構成すれば、左ねじのねじ機構により、軸部を右回転（一般的なねじの締め付け方向の回転）させれば軸部が加工方向に送られ、同時に右ねじれの切刃を加工面に鈍角で接触させてリーマ加工を行うことができ、加工穴のリーマ加工面をより高い面粗度で仕上げることができる。
【発明の効果】
【００２９】
本願発明によれば、リーマ部材の軸部を回転させてリーマ部を回転させれば、それに同期してリーマ部が送り部材によって加工方向に送られるため、狭隘な場所においても、特別な駆動装置を要することなくリーマ穴を加工することが可能となる。
【図面の簡単な説明】
【００３０】
【図１】図１は本願発明の第１実施形態に係るリーマ工具のリーマ部材を示す図面であり、（ａ）は側面図、（ｂ）はリーマ部側の正面図、（ｃ）は回転伝達部側の正面図である。
【図２】図２は本願発明のリーマ工具に係る送り部材の図面であり、（ａ）は座金の縦断面図、（ｂ）は座金の正面図、（ｃ）はナットの正面図である。
【図３】図３は本願発明の第２実施形態に係るリーマ工具のリーマ部材を示す側面図である。
【図４】図４は図１に示すリーマ工具の加工開始状態を示す断面図である。
【図５】図５は図４に続くリーマ工具の加工状態を示す断面図である。
【図６】図６は図５に続くリーマ工具の加工終了状態を示す断面図である。
【図７】図７は図６に示すリーマ工具の加工終了状態とは異なる加工終了状態を示す断面図である。
【図８】図８はリーマ工具を用いてリーマ穴を加工する一例としてタービン翼を配設したタービンロータの一部を示す正面図である。
【図９】図９は図８に示すIX−IX矢視の拡大断面図である。
【発明を実施するための形態】
【００３１】
以下、本願発明の実施形態を図面に基づいて説明する。以下の実施形態では、被削材７０に形成された加工穴７１（図４）にリーマ加工を行う例を説明する。被削材７０は、複数枚が重ねられた構成であっても、同様にリーマ加工を行うことができる。また、以下の実施形態では、加工穴７１に対して、図示する左方向から右方向（以下に説明する軸部１１を挿入する方向であり、加工方向Ｆである）にリーマ加工を行う例を説明する。さらに、リーマ工具１は、右回転させてリーマ加工を行う例を説明する。
【００３２】
図１（ａ）〜（ｃ）と図２（ａ）〜（ｃ）に示すように、第１実施形態に係るリーマ工具１は、被削材７０の加工穴７１に挿通して一端が加工穴７１から突出する長さを有する軸部１１と、この軸部１１の他端部に一体的に形成されたリーマ部１２とを有するリーマ部材１０と、上記軸部１１の加工穴７１から突出する部分を加工穴７１の端部位置で支持する送り部材２０とを備えている。この実施形態の送り部材２０は、加工穴７１の前側で被削材７０に接する座金２１と、この座金２１の前側に接するナット２２とを有している。このように、この実施形態のリーマ工具１は、図１に示すリーマ部材１０と、図２に示す座金２１及びナット２２を有する送り部材２０とを含むものである。
【００３３】
上記リーマ部材１０は、軸部１１の一端（図示する左端）に上記リーマ部１２が設けられ、他端（図示する右端）には軸部１１を回転させる回転伝達部１４が設けられている。図１（ｂ）にも示すように、リーマ部１２には、複数枚（この例では４枚であるが、その他、加工が可能な複数枚であればよい）の切刃１３が設けられている。また、図１（ｃ）にも示すように、回転伝達部１４は、後述するように、スパナ８０（図４）などの工具で回転させるように四角形に形成されている。この回転伝達部１４は、スパナ８０を掛けて手で容易に回転させることができる。回転伝達部１４は、スパナ８０などで回転させることができる形状であればよく、例えば、ボルトの六角頭部のように形成されていてもよい。また、回転伝達部１４は、スパナ８０などの工具以外に、アクチュエータなどの回転動力機器で回転できるようにしてもよい。この回転伝達部１４を回転させることで、軸部１１とリーマ部１２とを一体的に回転させることができる。
【００３４】
また、軸部１１の外面には雄ねじ部３１が形成されており、この雄ねじ部３１は上記ナット２２の内面に形成された雌ねじ部３２と螺合するようになっている。これら雄ねじ部３１と雌ねじ部３２とによって、後述するように、回転伝達部１４を回転させることで、軸部１１を送り部材２０のナット２２に対して加工方向Ｆに送るねじ機構が構成されている。この実施形態では、このねじ機構によって送り機構３０（図４）が構成されている。
【００３５】
送り機構３０をねじ機構とすることで、軸部１１が１回転（リーマ部１２も１回転）して軸方向に送られる送り量をねじピッチで容易に設定することができる。また、この送り機構３０により、軸部１１を回転させることで、送り部材２０に対して軸部１１と一体的にリーマ部１２を加工方向Ｆに所定量送ることが同期して行える。しかも、リーマ部１２を加工方向Ｆに送る機構を簡単な構成にすることができる。
【００３６】
また、この実施形態では、上記送り機構３０を構成しているねじ機構が、加工穴７１の前側で軸部１１を右回転させることで加工方向Ｆに送られる左ねじで構成されている。このように送り機構３０を左ねじのねじ機構で構成することにより、回転伝達部１４を右回転（一般的なねじの締め付け方向の回転）させれば軸部１１が加工方向Ｆに送れるため、右利きの作業者が一般的な工具で容易に回転させることができる。
【００３７】
なお、上記軸部１１の雄ねじ部３１は、被削材７０の加工穴７１の長さ（加工長）と、送り部材２０を取付けることができる長さを有していればよい。
【００３８】
上記リーマ部材１０は、軸部１１がリーマ部１２よりも小径で形成され、軸部１１とリーマ部１２とは同一軸心上に設けられている。リーマ部１２には、軸部１１との連結部である、いわゆるシャンク側から切刃１３が設けられている。このリーマ部１２は、切刃１３の前端部１５から後端部１６に向けてバックテーパ（縮径するテーパ）を有している。リーマ部１２にバックテーパを持たせることにより、加工後の加工穴７１に生じるスプリングバック（弾性変形）によってリーマ部１２が締め付けられないようにしている。
【００３９】
また、この実施形態の切刃１３は、リーマ部１２の先端面に対してストレートの切刃１３になっているが、二点鎖線で示すように切刃１３を右ねじれ（切刃１３を図の右側から見て）としてもよい。切刃１３を右ねじれとすれば、右回転で加工する切刃１３の前端における加工穴７１と接触する切刃ねじれ角θが、先端面に対して鈍角となる。そのため、リーマ部１２で加工穴７１をリーマ加工する切削角が鈍角になって緩やかになり、手作業によるリーマ加工の場合でも加工面（加工穴７１の仕上り面）のより滑らかな仕上がりを図ることができる。しかも、切刃１３は先端面に対して鈍角で加工穴７１に接してリーマ加工を行うため、作業者の熟練度に関係なく、加工穴７１のリーマ加工面を高い面粗度で仕上げることができる。切刃１３は、ストレート、右ねじれ以外に左ねじれとしてもよく、使用条件に応じて決定すればよい。この実施形態では、送り機構３０を構成しているねじ機構として回転伝達部１４を右回転させる例を示したため、軸部１１の外面の雄ねじ部３１とナット２２の内面の雌ねじ部３２とを左ねじで構成するとともに右ねじれの切刃１３としているが、軸部１１の外面の雄ねじ部３１とナット２２の内面の雌ねじ部３２とを右ねじで構成し、切刃１３を左ねじれとすれば同様の作用効果を奏する。これらねじ機構の方向と切刃１３のねじれ方向は、加工条件などに応じて決定すればよく、切刃１３はストレート、右ねじれ及び左ねじれのいずれでもよい。
【００４０】
さらに、このリーマ部１２の切刃１３は、先端部分１７が丸ランドとなっている。丸ランドとすることにより、面精度の高いリーマ穴６０に仕上げることができる。
【００４１】
一方、上記座金２１は、上記リーマ部１２が接することなく加工穴７１から突出させることができる空間部２３を有する高さに形成されている。座金２１に空間部２３を設ければ、後述するように、座金２１の向きを反転させることで、リーマ部１２によって形成されるリーマ穴６０を「貫通穴」又は「止まり穴」に形成することが選択できる。
【００４２】
図３は、第２実施形態に係るリーマ工具２のリーマ部材４０を示す側面図である。第２実施形態のリーマ部材４０は、軸部４１は第１実施形態と同一であるが、リーマ部４２が、切刃４３を有する切刃部４４と、この切刃部４４の前部で加工穴７１に沿うガイド部４５とを有する段付きリーマ部となっている。リーマ部４２を段付きリーマ部とすれば、加工穴７１に軸部４１を挿通してガイド部４５を沿わせれば、軸部４１を回転させることでガイド部４５が加工穴７１に沿って進むので、リーマ部４２の軸心位置を加工穴７１の軸心位置に機械的に保って、より安定したリーマ加工を行うことができる。
【００４３】
また、第２実施形態における送り部材５０は、座金部５１とナット部５２が一体的に形成されている。座金部５１の反ナット部側には、空間部５３が設けられている。また、ナット部５２の軸心部分には送り穴５４が設けられ、この送り穴５４に雌ねじ部５５が形成されている。この送り部材５０によれば、後述する図６に示す加工終了状態と同様に、貫通穴のリーマ穴６０を加工することができる。
【００４４】
なお、第２実施形態に係るリーマ工具２の他の構成は上記第１実施形態と同一であるため、同一の構成には同一符号を付して説明は省略する。また、この第２実施形態の各構成と上記第１実施形態の各構成は、異なる組合わせで使用するようにしてもよい。
【００４５】
次に、図４〜図７に基づいて、上記第１実施形態に係るリーマ工具１の使用方法を説明する。以下の説明では、リーマ工具１のリーマ部材１０を手工具であるスパナ８０で回転させる例を説明する。
【００４６】
図４に示すように、被削材７０の加工穴７１の後側から加工方向Ｆにリーマ部材１０の軸部１１を回転伝達部１４の方から挿入する。そして、リーマ部１２の切刃１３の前端部を加工穴７１の後側に当接させる。また、加工穴７１から突出した軸部１１に座金２１を入れ、座金２１の前側に突出している軸部１１の雄ねじ部３１にナット２２の雌ねじ部３２を螺合する。その後、座金２１が被削材７０の前側面に接するまでねじ込んで、軸部１１を加工穴７１の前側で支持する。この状態が、リーマ工具１を加工穴７１にセットした状態である。リーマ部材１０は、リーマ部１２の切刃１３が加工穴７１の後側に当接し、軸部１１が座金２１とナット２２による送り部材２０によって加工穴７１の前側に支持されている。この状態で、回転伝達部１４にスパナ８０を掛ける。
【００４７】
次に、図５に示すように、スパナ８０で回転伝達部１４を回転させる。これにより、軸部１１と一体的にリーマ部１２が回転する。この時、軸部１１を回転させることで、この軸部１１の雄ねじ部３１に螺合しているナット２２の雌ねじ部３２には、リーマ部１２によって加工穴７１の内面をリーマ加工する力と対向する力が作用する。そのため、リーマ部１２の切刃１３によって加工穴７１をリーマ加工する力と対向してナット２２が座金２１を被削材７０の前側面に押圧し、送り部材２０のナット２２と螺合している軸部１１が、ナット２２に対して加工方向Ｆに送られる。
【００４８】
しかも、被削材７０の前側から軸部１１を引きながら後側のリーマ部１２でリーマ加工を行うため、リーマ部１２は自動調心された状態で回転させられ、軸部１１を加工穴７１の軸心位置で安定して支持してリーマ加工を行うことができる。従って、回転伝達部１４を回転させることのみで、リーマ部１２を送り部材２０によって加工方向Ｆに同期して送り、加工穴７１の内面にリーマ加工を安定して行うことができる。
【００４９】
その後、図６に示すように、リーマ部１２の切刃１３が座金２１の空間部２３に位置するまで軸部１１を加工方向Ｆに送る。これにより、加工穴７１の全長をリーマ部１２によってリーマ加工することができる。このようにして形成されたリーマ穴６０は、「貫通穴」となる。そして、加工後にナット２２を外し、リーマ部１２をリーマ穴６０から抜けば作業が終了する。
【００５０】
このように、上記リーマ工具１によれば、回転伝達部１４を回転させることによって、リーマ部１２によるリーマ加工を加工方向Ｆに安定して行うことができる。また、座金２１がリーマ部１２の入り込む空間部２３を有しているので、リーマ穴６０を貫通穴として加工することができる。
【００５１】
図７は、上記図６に示す加工終了状態とは異なる加工終了状態となるようにした例である。この例は、上記座金２１の軸方向前後を逆向きにした使用例である。この例の加工開始時は、上記図４に示す状態で座金２１を逆向きに取付け、その後、軸部１１の回転伝達部１４を回転させて図７に示すような加工終了状態に至る。
【００５２】
この例の場合、加工終了状態でリーマ部１２が加工穴７１の前側端面に接している座金２１に当接した状態で終了する。このようにリーマ部１２が加工穴７１から完全に抜けない状態で終わることにより、リーマ穴６０の前側端部にはリーマ部１２の切刃１３によってリーマ加工が行われていない未加工部６１が残る。通常、切刃１３の先端は４５°程度の角度に形成されているため、加工穴７１の前側端部に切刃１３の先端角度で未加工部６１が残る。その後、ナット２２を取外した後、リーマ部材１０を後側に引き戻して抜くことで作業が終了する。
【００５３】
このように、上記座金２１を軸方向前後が逆向きとなるように取付ければ、リーマ部１２は加工穴７１の前側端部で座金２１に当接して加工穴７１のリーマ加工が終了するので、リーマ穴６０を前側に未加工部６１が残る「止まり穴」とすることができる。このような止まり穴とすることで、ピン（図８，９に示す止めピン１０９）を後側から嵌入すれば、未加工部６１に当接して止まり、前側に抜けないようにできる。
【００５４】
上記した「貫通穴」のリーマ穴６０とするか「止まり穴」のリーマ穴６０とするかは、目的に応じて使い分ければよい。
【００５５】
このように、この実施形態のリーマ工具１は、ハンドリーマとして使用する例であるため、狭隘な場所でも、スパナ８０で回転伝達部１４を回転させることで特別な駆動装置を要することなくリーマ穴６０を加工することができる。なお、簡便な回転動力機器で回転伝達部１４を回転させるように構成してもよく、軸部１１を回転させる構成はスパナ８０以外であってもよい。
【００５６】
以上のように、上記リーマ工具１によれば、狭隘な場所における加工困難な箇所のリーマ穴加工であっても、リーマ部材１０を被削材７０の加工穴７１挿通して回転させる空間があればリーマ穴６０を加工することが可能となる。その上、リーマ部１２の回転と送りが同期して行われるため、加工面粗度が一定になり、作業者の熟練度に依存しない高品質な加工面のリーマ加工ができる。
【００５７】
しかも、リーマ工具１，２は、リーマ部材１０，４０と、座金２１及びナット２２を有する送り部材２０又は送り部材５０とを加工場所に持っていけば１人でリーマ加工ができるため、リーマ工具１，２の持ち運びも容易で、狭隘な場所でも作業効率良くリーマ加工を行うことができる。
【００５８】
また、上記実施形態ではハンドリーマとして用いているため、リーマ部材１０を回転させるための電動動力が不要であり、作業用具等の準備時間を要することなく迅速に効率良くリーマ加工を行うことができる。
【００５９】
さらに、上記リーマ工具１によれば、リーマ部材１０と座金２１、ナット２２及びリーマ部材１０を回転させるスパナ８０を回転させることでリーマ加工が１人でもできるので、１人でも効率良くリーマ穴６０を加工することが可能となる。
【００６０】
その上、上記リーマ工具１によれば、上述した図８，９に示すタービン翼１０４の植翼部１０５と止め翼１０６の植翼部１０７との間に共リーマ穴１０８を加工する場合でも、狭隘なロータディスクの間でリーマ工具１をセットすれば、リーマ部材１０を回転させることで安定して共リーマ穴１０８を加工することができる。従って、上記リーマ工具１，２によれば、狭隘な場所でも種々の被削材７０に対してリーマ加工を効率良く行うことが可能となる。
【００６１】
なお、上記実施形態のリーマ工具１は、スパナ８０で回転伝達部１４を回転させるハンドリーマとして使用する例を説明したが、簡便な駆動機で軸部１１を回転させるように構成してもよく、リーマ部材１０を回転させる構成は上記実施形態に限定されるものではない。
【００６２】
また、上記実施形態における送り部材２０の構成、及びリーマ部材１０の軸部１１と送り部材２０のナット２２におけるねじ部３１，３２の構成（ねじれ方向）は、軸部１１の端部に設けられた回転伝達部１４を回転させれば、リーマ部１２を回転させながら同期して加工方向Ｆに送ることができる構成であればよく、上記実施形態に限定されるものではない。
【００６３】
さらに、上記実施形態では、１枚の被削材７０にリーマ穴６０を形成する例を説明したが、複数枚の被削材７０を重ねた状態で貫通するリーマ穴６０を形成する場合でも同様に使用することができ、被削材７０の構成は上記実施形態に限定されるものではない。
【００６４】
また、上述した実施形態は一例を示しており、本願発明の要旨を損なわない範囲での種々の変更は可能であり、本願発明は上述した実施形態に限定されるものではない。
【産業上の利用可能性】
【００６５】
本願発明に係るリーマ工具は、狭隘な場所などにおいて被削材の加工穴にリーマ加工を行う場合に利用できる。
【符号の説明】
【００６６】
１  リーマ工具
２  リーマ工具
１０  リーマ部材
１１  軸部
１２  リーマ部
１３  切刃
１４  回転伝達部
１５  前端部
１６  後端部
１７  先端部分
２０  送り部材
２１  座金
２２  ナット
２３  空間部
３０  送り機構
３１  雄ねじ部
３２  雌ねじ部
４０  リーマ部材
４１  軸部
４２  リーマ部
４３  切刃
４４  切刃部
４５  ガイド部
５０  送り部材
５１  座金部
５２  ナット部
５３  空間部
５４  送り穴
５５  雌ねじ部
６０  リーマ穴
６１  未加工部
７０  被削材
７１  加工穴
８０  スパナ
Ｆ  加工方向
θ  切刃ねじれ角
【図１】
2014200855.tif 000003
【図２】
2014200855.tif 000004
【図３】
2014200855.tif 000005
【図４】
2014200855.tif 000006
【図５】
2014200855.tif 000007
【図６】
2014200855.tif 000008
【図７】
2014200855.tif 000009
【図８】
2014200855.tif 000010
【図９】
2014200855.tif 000011